(57)【特許請求の範囲】
【請求項１】
複数の無線アクセス方式を備える携帯無線装置であって、
前記携帯無線装置が備える任意の無線アクセス方式における送信フィルタと、当該送信フィルタと同じ無線アクセス方式かつ同一周波数帯で用いられる受信フィルタとを共用しないことを条件として、
使用される周波数帯域の一部が重複するが、全部は等しくない２以上の送受信信号に共用するフィルタを具備すること
を特徴とする携帯無線装置。
【請求項２】
請求項１に記載の携帯無線装置であって、
前記携帯無線装置が具備するフィルタが、使用される周波数帯域の一部が重複するが、全部は等しくない２以上の送信信号に共用するフィルタであること
を特徴とする携帯無線装置。
【請求項３】
請求項１に記載の携帯無線装置であって、
前記携帯無線装置が具備するフィルタが、使用される周波数帯域の一部が重複するが、全部は等しくない２以上の受信信号に共用するフィルタであること
を特徴とする携帯無線装置。
【請求項４】
請求項１に記載の携帯無線装置であって、
前記携帯無線装置が具備するフィルタが、使用される周波数帯域の一部が重複するが、全部は等しくない送信信号と受信信号とで共用するフィルタであること
を特徴とする携帯無線装置。
【請求項５】
請求項１に記載の携帯無線装置であって、
ＷＣＤＭＡ方式のｂａｎｄ１の送信信号に用いられるフィルタと、ＷＣＤＭＡ方式のｂａｎｄ２の受信信号に用いられるフィルタと、ＧＳＭ方式のＰＣＳ１９００の受信信号に用いられるフィルタの少なくとも２以上を１の共用フィルタにて実現すること
を特徴とする携帯無線装置。
【請求項６】
請求項１に記載の携帯無線装置であって、
ＷＣＤＭＡ方式のｂａｎｄ３の送信信号に用いられるフィルタと、ＷＣＤＭＡ方式のｂａｎｄ４の送信信号に用いられるフィルタと、ＷＣＤＭＡ方式のｂａｎｄ９の送信信号に用いられるフィルタと、ＷＣＤＭＡ方式のｂａｎｄ１０の送信信号に用いられるフィルタと、ＧＳＭ方式のＤＣＳ１８００の送信信号に用いられるフィルタの少なくとも２以上を１の共用フィルタにて実現すること
を特徴とする携帯無線装置。
【請求項７】
請求項１に記載の携帯無線装置であって、
ＷＣＤＭＡ方式のｂａｎｄ５の送信信号に用いられるフィルタと、ＷＣＤＭＡ方式のｂａｎｄ６の送信信号に用いられるフィルタと、ＷＣＤＭＡ方式のｂａｎｄ１９の送信信号に用いられるフィルタと、ＧＳＭ方式のＧＳＭ８５０の送信信号に用いられるフィルタの少なくとも２以上を１の共用フィルタにて実現すること
を特徴とする携帯無線装置。
【請求項８】
請求項１に記載の携帯無線装置であって、
ＷＣＤＭＡ方式のｂａｎｄ８の送信信号に用いられるフィルタと、ＧＳＭ方式のＧＳＭ９００の送信信号に用いられるフィルタと、ＷＣＤＭＡ方式のｂａｎｄ５の受信信号に用いられるフィルタと、ＷＣＤＭＡ方式のｂａｎｄ６の受信信号に用いられるフィルタと、ＷＣＤＭＡ方式のｂａｎｄ１９の受信信号に用いられるフィルタと、ＧＳＭ方式のＧＳＭ８５０の受信信号に用いられるフィルタの少なくとも２以上を１の共用フィルタにて実現すること
を特徴とする携帯無線装置。
【請求項９】
請求項１に記載の携帯無線装置であって、
ＷＣＤＭＡ方式のｂａｎｄ１の受信信号に用いられるフィルタと、ＷＣＤＭＡ方式のｂａｎｄ４の受信信号に用いられるフィルタと、ＷＣＤＭＡ方式のｂａｎｄ１０の受信信号に用いられるフィルタの少なくとも２以上を１の共用フィルタにて実現すること
を特徴とする携帯無線装置。
【請求項１０】
請求項１に記載の携帯無線装置であって、
ＷＣＤＭＡ方式のｂａｎｄ３の受信信号に用いられるフィルタと、ＷＣＤＭＡ方式のｂａｎｄ９の受信信号に用いられるフィルタと、ＧＳＭ方式のＤＣＳ１８００の受信信号に用いられるフィルタの少なくとも２以上を１の共用フィルタにて実現すること
を特徴とする携帯無線装置。
【発明の詳細な説明】
【技術分野】
【０００１】
本発明は複数の無線アクセス方式を備える携帯無線装置に関する。
【背景技術】
【０００２】
図１にＷＣＤＭＡ方式およびＧＳＭ方式を搭載した従来の携帯無線装置の構成を示す。図１の従来の携帯無線装置９０は、アンテナ９１と、アンテナ切替器９２と、ＧＳＭ用の送信フィルタ９３と、ＧＳＭ用の電力増幅器９４と、アンテナ共用器９５と、ＷＣＤＭＡ用の電力増幅器９６と、ＧＳＭ用の受信フィルタ９７と、変復調回路９８と、制御端子９９とを備える。制御端子９９は、アンテナ切替器９２の経路を無線アクセス方式及び周波数帯によって切り替える。携帯無線装置９０は、通信の際には周波数帯に応じてアンテナ共用器９５の経路を切り替え、通信を行う。また、特許文献１のＷＣＤＭＡ方式およびＧＳＭ方式を搭載した携帯電話機では、ＷＣＤＭＡ送受信信号とＧＳＭ送受信信号に用いる送受信フィルタを共用する旨記載されている。例えば、ＷＣＤＭＡのｂａｎｄ８および、ＧＳＭのＧＳＭ９００の送信信号に用いられる周波数帯域はいずれも８８０〜９１５ＭＨｚであって等しく、要求される送信フィルタの帯域通過特性は共通であるため、送信フィルタを共有することができる。同じく、ＷＣＤＭＡのｂａｎｄ８および、ＧＳＭのＧＳＭ９００の受信信号に用いられる周波数帯域はいずれも９２５〜９６０ＭＨｚであって等しく、要求される受信フィルタの帯域通過特性は共通であるため、受信フィルタを共有することができる。
【先行技術文献】
【特許文献】
【０００３】
【特許文献１】特開２００７−０３６８６８号公報
【発明の概要】
【発明が解決しようとする課題】
【０００４】
しかしながら、従来の携帯無線装置では、新たな無線アクセス方式および周波数帯が追加されるたびに送信フィルタおよび受信フィルタを追加する必要がある。従って送受信フィルタの追加に伴い部材費が増大するという課題がある。また、送受信フィルタの追加に伴い回路規模が増大するため、携帯無線装置の容積が増大してしまうという課題がある。例えば、ＷＣＤＭＡ（ＬＴＥ）のｂａｎｄ１，２，３，４，５，６，８，９，１０，１９およびＧＳＭ８５０，ＧＳＭ９００，ＤＣＳ１８００，ＰＣＳ１９００を搭載した携帯無線装置の場合、各々の周波数帯に対して１組の送受信フィルタが必要となるため１４組、計２８個のフィルタが必要となる。特許文献１の携帯電話機のように、共通の周波数帯域を使用する無線アクセス方式については受信フィルタ同士もしくは送信フィルタ同士を共用することとすれば、上記の課題をある程度解決することができる。しかし、受信フィルタ同士および送信フィルタ同士を共用とすることとしても、共用できるフィルタは限られているため、フィルタ共用による部材費および回路規模の削減には限界がある。例えば、ＷＣＤＭＡのｂａｎｄ２，３，５，８の送受信信号に用いられる周波数帯域は、それぞれＰＣＳ１９００，ＤＣＳ１８００，ＧＳＭ８５０，ＧＳＭ９００の送受信信号に用いられる周波数帯域と等しい。このため、共用により計８つのフィルタを削減できるにすぎない。本発明ではフィルタ共用により送受信フィルタを劇的に削減でき、かつフィルタ共用によるノイズの発生を抑えることができる携帯無線装置が提供される。
【課題を解決するための手段】
【０００５】
本発明の携帯無線装置は、複数の無線アクセス方式を備え、本発明の携帯無線装置が備える任意の無線アクセス方式における送信フィルタと、当該送信フィルタと同じ無線アクセス方式かつ同一周波数帯で用いられる受信フィルタとを共用しないことを条件として、使用される周波数帯域の一部が重複するが、全部は等しくない２以上の送受信信号に共用するフィルタを具備することを特徴とする。
【発明の効果】
【０００６】
本発明の携帯無線装置によれば、同一の無線アクセス方式かつ同一周波数帯において送信フィルタと受信フィルタとを共用しないことにより、送信信号が受信経路に漏れたり、或いはその逆に受信信号が送信経路に漏れるといったクロストークを防止し、かつ使用される周波数帯域の一部が重複するが、全部は等しくない２以上の送受信信号に共用するフィルタを具備することにより、送受信フィルタを劇的に削減できるため、携帯無線装置の大幅な容積削減が可能となる。
【図面の簡単な説明】
【０００７】
【図１】複数の方式を搭載した従来の携帯無線装置の構成を示すブロック図。
【図２】ＷＣＤＭＡ（ＬＴＥ）、ＧＳＭ方式で用いられる周波数帯域を示す図。
【図３】実施例１にかかる携帯無線装置のフィルタＡ〜Ｈの周波数特性を示す図。
【図４】ＷＣＤＭＡ（ＬＴＥ）、ＧＳＭ方式とフィルタＡ〜Ｈの対応関係を示す図。
【図５】ＷＣＤＭＡ（ＬＴＥ）、ＧＳＭ方式とフィルタＡ〜Ｈの対応関係を示す図。
【図６】実施例１にかかる携帯無線装置の送信フィルタ共用構成を示すブロック図。
【図７】実施例１にかかる携帯無線装置の受信フィルタ共用構成を示すブロック図。
【図８】実施例１にかかる携帯無線装置の送受信フィルタ共用構成を示すブロック図。
【図９】実施例１にかかる携帯無線装置の構成を示すブロック図。
【図１０】実施例１にかかる携帯無線装置の制御器の動作を示すフローチャート。
【発明を実施するための形態】
【０００８】
以下、本発明の実施の形態について、詳細に説明する。なお、同じ機能を有する構成部には同じ番号を付し、重複説明を省略する。
【実施例１】
【０００９】
図２を参照して、ＷＣＤＭＡ（ＬＴＥ）方式およびＧＳＭ方式の周波数帯域について考察する。図２を見れば、異なる周波数帯であっても用いられる周波数帯域の一部が重複する関係にある場合や、一方の周波数帯域が、他方の周波数帯域と包含関係にある場合が散見される。例えば、ＷＣＤＭＡ（ＬＴＥ）方式のｂａｎｄ１の送信に用いる帯域（１９２０〜１９８０ＭＨｚ）と、ｂａｎｄ２の受信に用いる帯域（１９３０〜１９９０ＭＨｚ）は帯域が大部分において重複している。また、ＷＣＤＭＡ（ＬＴＥ）方式のｂａｎｄ４の送信に用いる帯域（１７１０〜１７５５ＭＨｚ）と、ｂａｎｄ９の送信に用いる帯域（１７４９．９〜１７８４．９ＭＨｚ）と、ｂａｎｄ１０の送信に用いる帯域（１７１０〜１７７０ＭＨｚ）はいずれも、ＷＣＤＭＡ（ＬＴＥ）方式のｂａｎｄ３の送信に用いる帯域（１７１０〜１７８５ＭＨｚ）に包含される。
【００１０】
本発明の携帯無線装置は、上記の重複・包含関係に着目してフィルタを共用することを特徴とする。本発明の携帯無線装置が備える複数の無線アクセス方式のうち、任意の無線アクセス方式における送信フィルタと、当該送信フィルタと同じ無線アクセス方式かつ同一周波数帯で用いられる受信フィルタとを共用しないことを条件として、使用される周波数帯域の一部が重複するが、全部は等しくない２以上の送受信信号に共用するフィルタを具備することを特徴とする。このことを図３〜５を用いて詳細に説明する。図３は共用に用いるフィルタＡ〜Ｈの周波数特性を示す図である。図４、５はＷＣＤＭＡ（ＬＴＥ）、ＧＳＭ方式とフィルタＡ〜Ｈの対応関係を示す図である。本発明の携帯無線装置は、図３に示す周波数特性を有する８つのフィルタＡ〜Ｈを用いることを特徴とする。本発明の携帯無線装置は上記フィルタＡ〜Ｈを備えることにより、ＷＣＤＭＡ（ＬＴＥ）方式のｂａｎｄ１〜６、８〜１０、１９およびＧＳＭ方式のＧＳＭ８５０、ＧＳＭ９００、ＤＣＳ１８００、ＰＣＳ１９００を搭載可能である。具体的には図４、５を参照して、フィルタＡをＷＣＤＭＡ方式のｂａｎｄ１の送信信号と、同方式のｂａｎｄ２の受信信号と、ＧＳＭ方式のＰＣＳ１９００の受信信号とで共用する。フィルタＢをＷＣＤＭＡ方式のｂａｎｄ２の送信信号と、ＧＳＭ方式のＰＣＳ１９００の送信信号とで共用する。フィルタＣをＷＣＤＭＡ方式のｂａｎｄ３の送信信号と、同方式のｂａｎｄ４の送信信号と、同方式のｂａｎｄ９の送信信号と、同方式のｂａｎｄ１０の送信信号と、ＧＳＭ方式のＤＣＳ１８００の送信信号とで共用する。フィルタＤをＷＣＤＭＡ方式のｂａｎｄ５の送信信号と、同方式のｂａｎｄ６の送信信号と、同方式のｂａｎｄ１９の送信信号と、ＧＳＭ方式のＧＳＭ８５０の送信信号とで共用する。フィルタＥをＷＣＤＭＡ方式のｂａｎｄ８の送信信号と、ＧＳＭ方式のＧＳＭ９００の送信信号と、ＷＣＤＭＡ方式のｂａｎｄ５の受信信号と、同方式のｂａｎｄ６の受信信号と、同方式のｂａｎｄ１９の受信信号と、ＧＳＭ方式のＧＳＭ８５０の受信信号とで共用する。フィルタＦをＷＣＤＭＡ方式のｂａｎｄ１の受信信号と、同方式のｂａｎｄ４の受信信号と、同方式のｂａｎｄ１０の受信信号とで共用する。フィルタＧをＷＣＤＭＡ方式のｂａｎｄ３の受信信号と、同方式のｂａｎｄ９の受信信号と、ＧＳＭ方式のＤＣＳ１８００の受信信号とで共用する。フィルタＨをＷＣＤＭＡ方式のｂａｎｄ８の受信信号と、ＧＳＭ方式のＧＳＭ９００の受信信号とで共用する。
【００１１】
以下、送信フィルタ同士を共用する場合について説明する。ここでは、送信フィルタの共用構成を備える携帯無線装置５００を例に挙げて説明する。図６は、携帯無線装置５００の送信フィルタの共用構成を示すブロック図である。携帯無線装置５００は、アンテナ５０１と、スイッチ５０２と、フィルタＰ５０３と、フィルタＱ５０４と、フィルタＲ５０５と、スイッチ５０６と、送信信号用電力増幅器５０７、５０８と、受信信号用電力増幅器５０９、５１０と、制御器５１１と、変復調回路５１２とを備える。また、送信信号用電力増幅器５０７を通過する送信信号が使用する周波数帯域をＴｘ１とし、送信信号用電力増幅器５０８を通過する送信信号が使用する周波数帯域をＴｘ２とし、受信信号用電力増幅器５０９を通過する受信信号が使用する周波数帯域をＲｘ１とし、受信信号用電力増幅器５１０を通過する受信信号が使用する周波数帯域をＲｘ２とする。フィルタＰ５０３は、周波数帯域Ｔｘ１、Ｔｘ２の双方をカバーする通過特性を備えている。フィルタＱ５０４は、周波数帯域Ｒｘ１をカバーする通過特性を備えている。フィルタＲ５０５は、周波数帯域Ｒｘ２をカバーする通過特性を備えている。フィルタＰ５０３は周波数帯域Ｔｘ１、Ｔｘ２の双方をカバーする通過特性を備えているため、スイッチ５０６の切り替えにより、周波数帯域Ｔｘ１を使用する送信信号および周波数帯域Ｔｘ２を使用する送信信号にて共用可能である。また、周波数帯域Ｒｘ１を使用する受信方式と、周波数帯域Ｒｘ２を使用する受信方式の切り替えはスイッチ５０２にて行うことができる。なお、スイッチ５０２および５０６の制御は制御器５１１により行われる。以上のような構成を備えることにより、携帯無線装置５００は送信フィルタを共用することができる。
【００１２】
以下、受信フィルタ同士を共用する場合について説明する。ここでは、受信フィルタの共用構成を備える携帯無線装置６００を例に挙げて説明する。図７は、携帯無線装置６００の受信フィルタの共用構成を示すブロック図である。携帯無線装置６００は、アンテナ５０１と、スイッチ６０２と、フィルタＰ５０３と、フィルタＱ５０４と、フィルタＲ５０５と、スイッチ６０６と、送信信号用電力増幅器５０７、５０８と、受信信号用電力増幅器５０９、５１０と、制御器５１１と、変復調回路５１２とを備える。また、送信信号用電力増幅器５０７を通過する送信信号が使用する周波数帯域をＴｘ３とし、送信信号用電力増幅器５０８を通過する送信信号が使用する周波数帯域をＴｘ４とし、受信信号用電力増幅器５０９を通過する受信信号が使用する周波数帯域をＲｘ３とし、受信信号用電力増幅器５１０を通過する受信信号が使用する周波数帯域をＲｘ４とする。フィルタＰ５０３は、周波数帯域Ｔｘ３をカバーする通過特性を備えている。フィルタＱ５０４は、周波数帯域Ｔｘ４をカバーする通過特性を備えている。フィルタＲ５０５は、周波数帯域Ｒｘ３、Ｒｘ４の双方をカバーする通過特性を備えている。フィルタＲ５０５は周波数帯域Ｒｘ３、Ｒｘ４の双方をカバーする通過特性を備えているため、スイッチ６０６の切り替えにより、周波数帯域Ｒｘ３を使用する受信信号および周波数帯域Ｒｘ４を使用する受信信号にて共用可能である。また、周波数帯域Ｔｘ３を使用する送信方式と、周波数帯域Ｔｘ４を使用する送信方式の切り替えはスイッチ６０２にて行うことができる。なお、スイッチ６０２および６０６の制御は制御器５１１により行われる。以上のような構成を備えることにより、携帯無線装置６００は受信フィルタを共用することができる。
【００１３】
以下、送信フィルタと受信フィルタとを共用する場合について説明する。ここでは、送受信フィルタの共用構成を備える携帯無線装置７００を例に挙げて説明する。図８は、携帯無線装置７００の送受信フィルタの共用構成を示すブロック図である。携帯無線装置７００は、アンテナ５０１と、スイッチ７０２Ａと、スイッチ７０２Ｂと、フィルタＰ５０３と、フィルタＱ５０４と、フィルタＲ５０５と、スイッチ７０６と、送信信号用電力増幅器５０７、５０８と、受信信号用電力増幅器５０９、５１０と、制御器５１１と、変復調回路５１２とを備える。また、送信信号用電力増幅器５０７を通過する送信信号が使用する周波数帯域をＴｘ５とし、送信信号用電力増幅器５０８を通過する送信信号が使用する周波数帯域をＴｘ６とし、受信信号用電力増幅器５０９を通過する受信信号が使用する周波数帯域をＲｘ５とし、受信信号用電力増幅器５１０を通過する受信信号が使用する周波数帯域をＲｘ６とする。フィルタＰ５０３は、周波数帯域Ｔｘ５をカバーする通過特性を備えている。フィルタＱ５０４は、周波数帯域Ｒｘ５をカバーする通過特性を備えている。フィルタＲ５０５は、周波数帯域Ｔｘ６、Ｒｘ６の双方をカバーする通過特性を備えている。フィルタＲ５０５は周波数帯域Ｔｘ６、Ｒｘ６の双方をカバーする通過特性を備えているため、スイッチ７０６の切り替えにより、周波数帯域Ｔｘ６を使用する送信信号および周波数帯域Ｒｘ６を使用する受信信号にて共用可能である。また、周波数帯域Ｔｘ５を使用する送信方式と、周波数帯域Ｔｘ６を使用する送信方式の切り替えおよび、周波数帯域Ｒｘ５を使用する受信方式と、周波数帯域Ｒｘ６を使用する受信方式の切り替えはスイッチ７０２Ａとスイッチ７０２Ｂにて行うことができる。なお、スイッチ７０２Ａ、７０２Ｂ、７０６の制御は制御器５１１により行われる。以上のような構成を備えることにより、携帯無線装置７００は送信フィルタと受信フィルタとを共用することができる。
【００１４】
以下、前述のフィルタＡ〜Ｈを備えることにより、ＷＣＤＭＡ方式のｂａｎｄ１〜６、８〜１０、１９およびＧＳＭ方式のＧＳＭ８５０、ＧＳＭ９００、ＤＣＳ１８００、ＰＣＳ１９００を搭載する携帯無線装置８００について説明する。図９は携帯無線装置８００の構成を示すブロック図である。携帯無線装置８００はアンテナ８０１と、スイッチ８０２と、フィルタＡ８０３と、フィルタＢ８０４と、フィルタＣ８０５と、フィルタＤ８０６と、フィルタＥ８０７と、フィルタＦ８０８と、フィルタＧ８０９と、フィルタＨ８１０と、スイッチ８１１と、ＧＳＭ送信信号増幅器８１２と、ＷＣＤＭＡ（ＨＩ−ｂａｎｄ）送信信号増幅器８１３と、ＷＣＤＭＡ（ＭＩＤ−ｂａｎｄ）送信信号増幅器８１４と、ＷＣＤＭＡ（ＬＯ−ｂａｎｄ）送信信号増幅器８１５と、制御器８１６と、変復調回路８１７と、制御端子８１８とを備える。この携帯無線装置８００のスイッチ８０２および８１１は、前述の携帯無線装置５００のスイッチ５０２、５０６が備える送信フィルタ共用構成、携帯無線装置６００のスイッチ６０２、６０６が備える受信フィルタ共用構成、携帯無線装置７００のスイッチ７０２Ａ、７０２Ｂ、７０６が備える送受信フィルタ共用構成をいずれも適宜備えているものとする。携帯無線装置８００のスイッチ８０２および８１１が前述のフィルタ共用構成を備え、フィルタＡ〜Ｈを共用することにより、ＷＣＤＭＡ（ＬＴＥ）方式のｂａｎｄ１〜６、８〜１０、１９およびＧＳＭ方式のＧＳＭ８５０、ＧＳＭ９００、ＤＣＳ１８００、ＰＣＳ１９００をわずか８つのフィルタにて共用できる携帯無線装置が実現する。なお、スイッチ８０２、８１１の制御は制御器８１６により行われる。
【００１５】
図１０を参照してフィルタの切替方法について説明する。図１０は携帯無線装置８００の制御器８１６の動作を示すフローチャートである。制御器８１６は、図４のような各通信方式とフィルタＡ〜Ｈとの対応関係を示す参照テーブルを備えているものとする。制御器８１６は、ベースバンドもしくはＲＦＩＣ等から周波数帯切替の指示を受け取ると、該当する周波数帯の周波数帯域Ｘを選択する（Ｓ８１６１）。次に、参照テーブルを参照して、周波数帯域Ｘに適合する送信フィルタＹ、受信フィルタＺをフィルタＡ〜Ｈから選択する（Ｓ８１６２、Ｓ８１６３）。次に、送信経路にフィルタＹ、受信経路にフィルタＺが挿入されるようにスイッチ８０２、８１１に制御信号を送出する（Ｓ８１６４）。スイッチ８０２、８１１は制御信号を受信して、各周波数帯に適合するフィルタを介した送受信経路を経路切替によって実現する。送信フィルタ同士、受信フィルタ同士、送受信フィルタを共用するための経路切替方法については、前述の携帯無線装置５００〜７００で具体的に記載した方法で実現可能である。
【００１６】
以上のように、本発明の携帯無線装置８００によれば、同一の無線アクセス方式かつ同一周波数帯において送信フィルタと受信フィルタとを共用しないことにより、送信信号が受信経路に漏れたり、或いはその逆に受信信号が送信経路に漏れるといったクロストークを防止し、かつ使用される周波数帯域の一部が重複するが、全部は等しくない２以上の送受信信号に共用するフィルタを具備することにより、フィルタ共用により発生するノイズを最小限に抑えつつ、送受信フィルタを劇的に削減できるため、携帯無線装置の大幅な容積削減が可能である。したがってフィルタ総数わずか８個にてＷＣＤＭＡ方式のｂａｎｄ１〜６、８〜１０、１９およびＧＳＭ方式のＧＳＭ８５０、ＧＳＭ９００、ＤＣＳ１８００、ＰＣＳ１９００を搭載することができる。
【図１】
0005388307.tif 000002
【図２】
0005388307.tif 000003
【図３】
0005388307.tif 000004
【図４】
0005388307.tif 000005
【図５】
0005388307.tif 000006
【図６】
0005388307.tif 000007
【図７】
0005388307.tif 000008
【図８】
0005388307.tif 000009
【図９】
0005388307.tif 000010
【図１０】
0005388307.tif 000011